(57)【特許請求の範囲】
【請求項１】
大気を吸入する吸気室と、この吸気室に吸入した吸入空気によって発生する騒音を低減するサイレンサダクトと、このサイレンサダクトの下流側に位置し吸入空気が流れる方向を転向する曲がり部を有するＬ字ダクトを備えた吸気ダクト部と、
吸入空気を前記吸気ダクト部から下流部へと導く吸気プレナムと、この吸気プレナムの下流側に位置し吸入空気を圧縮する軸流圧縮機と、この軸流圧縮機で圧縮された圧縮空気と燃料を混合して燃焼し高温ガスを発生させるガスタービン燃焼器と、このガスタービン燃焼器で発生させた高温ガスによって駆動するタービンを備えたガスタービン部と、
前記吸気ダクト部及び前記ガスタービン部を備えたガスタービンを改造するガスタービン改造方法において、
前記ガスタービン部は、ガスタービンの出力が改造前と改造後でほぼ同等であって、吸込流量が改造前と比べて改造後が小さいガスタービンを備えたガスタービン部に改造し、
前記吸気ダクト部は、前記吸気ダクト部の縮流部の形状を、鉛直方向上側から見てサイレンサダクトとの接続部を上底、Ｌ字ダクトとの接続部を下底とし、前記上底が前記下底よりも大きい台形形状となるように形成すると共に、前記サイレンサダクトと前記Ｌ字ダクトとの間に前記台形形状の縮流部を設置して、この縮流部の空気の流れ方向の断面積を前記Ｌ字ダクトの空気の流れ方向の断面積よりも減少させた吸気ダクト部に改造することを特徴とするガスタービン改造方法。
【請求項２】
請求項１に記載のガスタービン改造方法において、
前記吸気ダクト部のＬ字ダクト部の曲がり部に面取りを形成することを特徴とするガスタービン改造方法。
【請求項３】
請求項１又は請求項２に記載のガスタービン改造方法において、
改造後の前記ガスタービン部の軸流圧縮機は、この軸流圧縮機に備えた初段動翼を三次元翼として、前記初段動翼の設計流入角から失速状態になるまでの裕度を改造前のそれに比べて大きくすることを特徴としたガスタービン改造方法。
【請求項４】
請求項３に記載のガスタービン改造方法において、
軸流圧縮機に備えた三次元翼の初段動翼は、翼断面のスタッキングラインが翼前縁側に湾曲した形状の初段動翼であることを特徴とするガスタービン改造方法。
【請求項５】
請求項１乃至請求項４のいずれか１項に記載のガスタービン改造方法において、
前記ガスタービン部の軸流圧縮機とガスタービン燃焼器との間に作動流体の流量を増加する流量増加手段を設置することを特徴とするガスタービン改造方法。
【請求項６】
請求項５に記載のガスタービン改造方法において、
前記流量増加手段は作動流体に湿分又は蒸気を供給する加湿装置であることを特徴とするガスタービン改造方法。
【請求項７】
請求項１乃至請求項５のいずれか１項に記載のガスタービン改造方法において、
前記吸気ダクト部の縮流部の入口近傍に吸入空気に液滴を噴霧して冷却する噴霧冷却装置を設けると共に、前記噴霧冷却装置から吸入空気に噴霧する液滴の噴霧方向が該噴霧冷却装置を鉛直上部から見て縮流部の壁面に近づくにつれて吸入空気の主流の下流方向に対して内向きとなるように形成されていることを特徴とするガスタービン改造方法。
【請求項８】
大気を吸入する吸気室と、この吸気室に吸入した吸入空気によって発生する騒音を低減するサイレンサダクトと、このサイレンサダクトの下流側に位置し吸入空気が流れる方向を転向する曲がり部を有するＬ字ダクトを備えた吸気ダクト部と、
吸入空気を前記吸気ダクト部から下流部へと導く吸気プレナムと、この吸気プレナムの下流側に位置し吸入空気を圧縮する軸流圧縮機と、この軸流圧縮機で圧縮された圧縮空気と燃料を混合して燃焼し高温ガスを発生させるガスタービン燃焼器と、このガスタービン燃焼器で発生させた高温ガスによって駆動するタービンを備えたガスタービン部と、
前記吸気ダクト部及び前記ガスタービン部を備えたガスタービンに改造を施したガスタービンであって、
前記ガスタービン部は、ガスタービンの出力が改造前と改造後でほぼ同等であって吸込流量が改造前と比べて改造後が小さいガスタービンに改造されたガスタービンを備え、
改造後の前記吸気ダクト部は、前記吸気ダクト部の縮流部の形状を、鉛直方向上側から見てサイレンサダクトとの接続部を上底、Ｌ字ダクトとの接続部を下底とし、前記上底が前記下底よりも大きい台形形状となるように形成すると共に、前記サイレンサダクトと前記Ｌ字ダクトとの間に、空気の流れ方向の断面積を前記Ｌ字ダクトの空気の流れ方向の断面積よりも減少させた前記台形形状の縮流部を設置したことを特徴とする改造を施したガスタービン。
【請求項９】
請求項８に記載の改造を施したガスタービンにおいて、
前記吸気ダクト部のＬ字ダクト部の曲がり部に面取りを形成することを特徴とする改造を施したガスタービン。
【請求項１０】
請求項８又は請求項９に記載の改造を施したガスタービンにおいて、
改造後の前記ガスタービン部の軸流圧縮機は、この軸流圧縮機に備えた初段動翼を三次元翼として、前記初段動翼の設計流入角から失速状態になるまでの裕度を改造前のそれに比べて大きくすることを特徴とする改造を施したガスタービン。
【請求項１１】
請求項１０に記載の改造を施したガスタービンにおいて、
軸流圧縮機に備えた三次元翼の初段動翼は、翼断面のスタッキングラインが翼前縁側に湾曲した形状の初段動翼であることを特徴とする改造を施したガスタービン。
【請求項１２】
請求項８乃至請求項１１のいずれか１項に記載の改造を施したガスタービンにおいて、
前記ガスタービン部の軸流圧縮機とガスタービン燃焼器との間に作動流体の流量を増加する流量増加手段を設置することを特徴とする改造を施したガスタービン。
【請求項１３】
請求項１２に記載の改造を施したガスタービンにおいて、
前記流量増加手段は作動流体に湿分又は蒸気を供給する加湿装置であることを特徴とす
る改造を施したガスタービン。
【請求項１４】
請求項８乃至請求項１３のいずれか１項に記載の改造を施したガスタービンにおいて、
前記吸気ダクト部の縮流部の入口近傍に吸入空気に液滴を噴霧して冷却する噴霧冷却装置を設けると共に、前記噴霧冷却装置から吸入空気に噴霧する液滴の噴霧方向が該噴霧冷却装置を鉛直上部から見て縮流部の壁面に近づくにつれて吸入空気の主流の下流方向に対して内向きとなるように形成したことを特徴とする改造を施したガスタービン。
【発明の詳細な説明】
【技術分野】
【０００１】
本発明はガスタービン吸気側のガスタービン改造方法及び改造を施したガスタービンに係り、特にサイレンサダクト下流から吸気プレナム入口までの構造を改造するガスタービン改造方法及び改造を施したガスタービンに関する。
【背景技術】
【０００２】
近年の環境問題に対する関心の高まりから、火力発電設備に対してより一層の性能向上が求められている。その中でもガスタービンは比較的単体の効率が高く、かつ、他の発電設備との組合せ（例：蒸気タービンと組み合わせたコンバインドサイクル）によって５０％以上という高い発電効率を達成可能であるため、ＣＯ２削減の一端を担うことを期待されている。
【０００３】
このため、ガスタービンは、圧縮機やガスタービン燃焼器、タービンといった主要コンポーネントの性能向上だけでなく、吸気ダクト部や排気部といった主要コンポーネント以外の部分に対しても効率向上が必要となっている。
【０００４】
このうち、大気を吸入する吸気室と、吸入空気によって発生する騒音を低減するサイレンサダクトと、サイレンサダクト下流部に位置し吸入空気の方向を変えるＬ字ダクトによって構成される吸気ダクト部では、損失低減による性能向上と、下流側での流れの乱れ低減を両立する必要がある。
【０００５】
特に吸気ダクト部の出口で大きな流れの乱れが存在すると、その乱れによって吸気ダクト部の下流側の圧縮機入口で吸入する吸気の周方向の流入条件が一様とならず、圧縮機前段翼、特に初段動翼で旋回失速等の非定常現象が発生しやすくなる。
【０００６】
これらの非定常現象によって圧縮機翼に振動が生じ、圧縮機信頼性に対して悪影響を及ぼす可能性があるため、吸気ダクト部の出口での吸気の流れの乱れはなるべく小さくする必要がある。
【０００７】
ところで、既存のガスタービン発電設備を高効率のものに改造する際に、改造前後のガスタービン仕様の相違によって吸気ダクト部の改造が必要になる場合がある。
【０００８】
例えば改造前後のガスタービンの定格出力が同一であっても高効率のガスタービンに改造する場合、改造前のガスタービンの燃焼温度に比べて改造後のガスタービンの燃焼温度の方が高い場合が多い。
【０００９】
一般にガスタービンの出力は吸込流量とタービン通過時の燃焼ガスの温度差（タービン入口温度−排気温度）にそれぞれ比例し、かつ排気温度はほぼ同等であることが多いので、燃焼ガスの燃焼温度が高い改造後のガスタービンの吸込流量は、燃焼ガスの燃焼温度が低い改造前のガスタービンに比べて小さくなる。
【００１０】
一方、コスト低減の観点からは、既存のガスタービン発電設備における改造箇所を最小限にとどめる必要がある。このため吸気ダクト部のうち、吸気室とサイレンサダクトは改造前のものが流用されることが多い。つまり、サイレンサ下流部の設計流量は改造前のもので、吸気プレナムの設計流量は改造後のものとなるため、この間で設計流量を低減する縮流部を設ける必要がある。
【００１１】
公知例の特開平１０−２３８３６５号公報には、吸気噴霧冷却器を備えたガスタービン吸気ダクト部に縮流部を設置し、その縮流部で吸気噴霧冷却器から吸気に液滴を噴霧する構造に関する技術が開示されている。
【００１２】
この特開平１０−２３８３６５号公報では、ガスタービン吸気ダクト部に縮流部を設けることで流れを増速し、その増速区間で吸気噴霧冷却器から吸気に液滴を噴霧することで噴霧液滴の微細化と蒸発を促進することを目的としている。
【００１３】
また、公知例の特開２００４−１７６７１７号公報には、水噴霧装置を有する消音装置をガスタービン吸気ダクト部に設置し、この水噴霧装置を有する消音装置は中央範囲で流路が縮小した複数個のベンチュリー管として形成されており、前記複数個のベンチュリー管の間の中央範囲で形成された流路の縮流部を流下する吸気の流速を速め、この流速を速めた吸気に対して消音装置が有する水噴霧装置から液滴を噴霧する構造に関する技術が開示されている。
【００１４】
しかしながら、前記特開平１０−２３８３６５号公報及び特開２００４−１７６７１７号公報の何れにもガスタービン発電設備を改造する場合の対応については何等考慮されていない。
【先行技術文献】
【特許文献】
【００１５】
【特許文献１】特開平１０−２３８３６５号公報
【特許文献２】特開２００４−１７６７１７号公報
【発明の概要】
【発明が解決しようとする課題】
【００１６】
前記特開平１０−２３８３６５号公報及び特開２００４−１７６７１７号公報に開示された技術は、何れもガスタービン発電設備の改造時を想定したものではないため、サイレンサダクト出口の設計流量と吸気プレナムの設計流量は同一となっていると考えられる。このため、ガスタービン吸気ダクト部は、縮流部の下流に設計流量を維持するための拡大部が設けられている。
【００１７】
しかしながらこの拡大部は、ガスタービン吸気ダクトの前記拡大部の下流から圧縮機入口に至る領域における流れ場の乱れと吸気部での損失増加を招くため、ガスタービン性能や、ガスタービン翼の非定常振動現象に対する信頼性の観点からは好ましくないと考えられる。
【００１８】
また、吸気噴霧冷却装置として円筒状のヘッダが入るため、吸気噴霧冷却装置そのものによる乱れと損失も生じる。
【００１９】
特開平１０−２３８３６５号公報に開示された技術では、吸気噴霧冷却装置を縮流部の軸方向ほぼ中央に組み込んでいるため、相対的に吸気噴霧冷却装置が全体の流路断面積に占める割合が高く、縮流部がない場合に比べて吸気の損失がさらに増加する可能性がある。
【００２０】
本発明の目的は、既存のガスタービン発電設備を既存のガスタービンよりも流量の小さいガスタービンに改造する場合に、既存のガスタービン発電設備を出来るだけ多く流用すると共に、吸気ダクト部に吸気した空気の流れの乱れを低減した信頼性の高いガスタービンを得ることを可能にしたガスタービン改造方法及び改造を施したガスタービンを提供することにある。
【課題を解決するための手段】
【００２１】
本発明のガスタービン改造方法は、大気を吸入する吸気室と、この吸気室に吸入した吸入空気によって発生する騒音を低減するサイレンサダクトと、このサイレンサダクトの下流側に位置し吸入空気が流れる方向を転向する曲がり部を有するＬ字ダクトを備えた吸気ダクト部と、吸入空気を前記吸気ダクト部から下流部へと導く吸気プレナムと、この吸気プレナムの下流側に位置し吸入空気を圧縮する軸流圧縮機と、この軸流圧縮機で圧縮された圧縮空気と燃料を混合して燃焼し高温ガスを発生させるガスタービン燃焼器と、このガスタービン燃焼器で発生させた高温ガスによって駆動するタービンを備えたガスタービン部と、前記吸気ダクト部及び前記ガスタービン部を備えたガスタービンを改造するガスタービン改造方法において、前記ガスタービン部は、ガスタービンの出力が改造前と改造後でほぼ同等であって、吸込流量が改造前と比べて改造後が小さいガスタービンを備えたガスタービン部に改造し、前記吸気ダクト部は、前記吸気ダクト部の縮流部の形状を、鉛直方向上側から見てサイレンサダクトとの接続部を上底、Ｌ字ダクトとの接続部を下底とし、前記上底が前記下底よりも大きい台形形状となるように形成すると共に、前記サイレンサダクトと前記Ｌ字ダクトとの間に前記台形形状の縮流部を設置して、この縮流部の空気の流れ方向の断面積を前記Ｌ字ダクトの空気の流れ方向の断面積よりも減少させた吸気ダクト部に改造することを特徴とする。
【００２２】
また、本発明の改造を施したガスタービンは、大気を吸入する吸気室と、この吸気室に吸入した吸入空気によって発生する騒音を低減するサイレンサダクトと、このサイレンサダクトの下流側に位置し吸入空気が流れる方向を転向する曲がり部を有するＬ字ダクトを備えた吸気ダクト部と、吸入空気を前記吸気ダクト部から下流部へと導く吸気プレナムと、この吸気プレナムの下流側に位置し吸入空気を圧縮する軸流圧縮機と、この軸流圧縮機で圧縮された圧縮空気と燃料を混合して燃焼し高温ガスを発生させるガスタービン燃焼器と、このガスタービン燃焼器で発生させた高温ガスによって駆動するタービンを備えたガスタービン部と、前記吸気ダクト部及び前記ガスタービン部を備えたガスタービンに改造を施したガスタービンであって、前記ガスタービン部は、ガスタービンの出力が改造前と改造後でほぼ同等であって吸込流量が改造前と比べて改造後が小さいガスタービンに改造されたガスタービンを備え、改造後の前記吸気ダクト部は、前記吸気ダクト部の縮流部の形状を、鉛直方向上側から見てサイレンサダクトとの接続部を上底、Ｌ字ダクトとの接続部を下底とし、前記上底が前記下底よりも大きい台形形状となるように形成すると共に、前記サイレンサダクトと前記Ｌ字ダクトとの間に、空気の流れ方向の断面積を前記Ｌ字ダクトの空気の流れ方向の断面積よりも減少させた前記台形形状の縮流部を設置したことを特徴とする。
【発明の効果】
【００２３】
本発明によれば、既存のガスタービン発電設備を既存のガスタービンよりも流量の小さいガスタービンに改造する場合に、既存のガスタービン発電設備を出来るだけ多く流用すると共に、吸気ダクト部に吸気した空気の流れの乱れを低減した信頼性の高いガスタービンを得ることを可能にしたガスタービン改造方法及び改造を施したガスタービンが実現できる。
【図面の簡単な説明】
【００２４】
【図１】本発明の第１実施例であるガスタービンの改造後のガスタービンの機器配置を示す概略図。
【図２】本発明の第１実施例であるガスタービンの改造前のガスタービンの機器配置を示す概略図。
【図３Ａ】本発明の第１実施例であるガスタービンの改造前後の吸気ダクト部を鉛直方向から見た矢視図。
【図３Ｂ】本発明の第１実施例であるガスタービンの改造前後の吸気ダクト部を鉛直方向から見た矢視図。
【図４】本発明の第１実施例の変形例であるガスタービンの改造後の機器配置を示す概略図。
【図５Ａ】本発明の第２実施例のガスタービン改造方法が実施される改造前の吸気ダクト部を鉛直方向から見た矢視図。
【図５Ｂ】本発明の第２実施例のガスタービン改造方法が実施された改造後の吸気ダクト部を鉛直方向から見た矢視図。
【図５Ｃ】図５Ｂに示した第２実施例であるガスタービンの改造後の吸気ダクト部をＡ−Ａ方向から見た矢視図。
【図６】本発明の第３実施例であるガスタービンの改造後の機器配置を示す概略図。
【図７Ａ】本発明の第３実施例のガスタービン改造方法が実施される改造前の圧縮機初段近傍の子午面断面を示す概略図。
【図７Ｂ】本発明の第３実施例のガスタービン改造方法が実施された改造後の圧縮機初段近傍の子午面断面を示す概略図。
【発明を実施するための形態】
【００２５】
本発明の実施例であるガスタービン改造方法及び改造を施したガスタービンについて図面を参照して以下に説明する。
【実施例１】
【００２６】
本発明の第１実施例であるガスタービン改造方法及び改造を施したガスタービンについて図１乃至図４を用いて説明する。
【００２７】
図１に本発明の第１実施例であるガスタービン改造方法及び改造を施したガスタービンについて、改造後のガスタービンの機器配置の概略図を示す。
【００２８】
図１に示した本実施例の改造後のガスタービンにおいて、ガスタービンを構成するガスタービン発電設備１は、ガスタービン部２と、吸気をガスタービン部２に導く吸気ダクト部１０と、ガスタービン部２によって駆動されて発電する発電機８と、前記ガスタービン部２を載置するタービンベース７から構成されている。
【００２９】
前記吸気ダクト部１０は、大気から吸気を取り込む吸気室１１と、この吸気室１１から取り込まれた吸気を消音するサイレンサを内部に配設したサイレンサダクト１２と、このサイレンサダクト１２の下流側に位置して吸気の流路を絞った縮流部２１と、この縮流部２１の下流側で吸気の流れ方向を転向してガスタービン部２に吸気を導くＬ字ダクト１３から構成されている。
【００３０】
一方、前記ガスタービン部２は、吸気ダクト部１０のＬ字ダクト１３を通じて供給された吸気を導入する吸気プレナム１４と、この吸気プレナム１４から導入した吸気を圧縮する軸流圧縮機３と、この軸流圧縮機３で圧縮した空気と燃料を混合して燃焼して高温の燃焼ガスを発生するガスタービン燃焼器４と、このガスタービン燃焼器４で発生した燃焼ガスによって駆動されるタービン５と、このタービン５によって駆動されて発電する発電機８と、前記軸流圧縮機３、タービン５及び発電機８を連結する軸６と、前記タービン５を流下した燃焼ガスを排気として大気に排出する排気室１５から構成されている。
【００３１】
そして、前記構成のガスタービン部２はタービンベース７上に載置されている。
【００３２】
上記した構成である本実施例のガスタービン改造方法を適用したガスタービンでは作動流体の挙動は以下の通りとなる。
【００３３】
即ち、図１に示した本実施例のガスタービン改造方法及び改造を施したガスタービンであるガスタービンにおいて、吸気ダクト部１０の吸気室１１から吸込まれた吸気（空気）は、吸気ダクト部１０のサイレンサダクト１２、縮流部２１、及びＬ字ダクト１３を順次通過した後に、ガスタービン部２の吸気プレナム１４を通じて軸流圧縮機３に流入する。
【００３４】
ガスタービン部２の軸流圧縮機３に流入した吸気は、この軸流圧縮機３によって圧縮された後にガスタービン燃焼器４に流入し、このガスタービン燃焼器４にて吸気（空気）は噴射された燃料と混合して燃焼し、高温・高圧の燃焼ガスを発生させる。
【００３５】
ガスタービン燃焼器４で発生した高温・高圧の燃焼ガスは、軸流圧縮機３と軸６によって連結されているタービン５に作動流体となって流入してこのタービン５を駆動するが、前記タービン５の駆動によって該タービン５と軸６によって連結した前記軸流圧縮機３を駆動するように構成されている。
【００３６】
そして前記タービン５を高温・高圧の燃焼ガスによって駆動する際に、このタービン５の駆動によって該タービン５と軸６によって接続された発電機８を駆動し、この発電機８で発電を行なう。
【００３７】
そして前記タービン５を駆動した燃焼ガスは該タービン５から排出されて排気室１５に流入し、この排気室１５から排気として大気に放出される。
【００３８】
次に、本実施例のガスタービン改造方法及び改造を施したガスタービンにおいて、ガスタービン改造方法を実施する前のガスタービンの機器配置の概略図を図２に示す。
【００３９】
図１と図２において、ハッチングを施した箇所がガスタービンの改造の対象となった箇所である。具体的なガスタービンの改造箇所は、ガスタービン部２の吸気プレナム１４と排気室１５、及びガスタービン部２の本体部分である軸流圧縮機３、ガスタービン燃焼器４、タービン５、軸６、タービン５、及び発電機８と、吸気ダクト部１０のＬ字ダクト１３である。
【００４０】
本実施例のガスタービン改造方法及び改造を施したガスタービンにおいては、改造前と改造後とでガスタービンの出力が同等であり、吸込流量が改造前と比べて改造後の吸込流量が小さい（燃焼温度の大きい）ガスタービン部２の改造を想定しているため、ガスタービン部２の吸気プレナム１４入口における設計流量は、吸気ダクト部１０のサイレンサダクト１２出口における設計流量よりも小さくなる。
【００４１】
上記した本実施例のガスタービン改造方法及び改造を施したガスタービンでは、改造前と改造後とでガスタービンの出力が同等とは、改造前後のガスタービンの出力が±５％の範囲にあることを意味している。
【００４２】
また、改造前と改造後とで改造後のガスタービンの吸込流量が小さいとは、ガスタービンの吸込流量が改造前のそれと比べて改造後の吸込流量が−２０％の範囲にある、好ましくは−１０％の範囲にあることを意味している。
【００４３】
上記した設計流量の差を解消するため、本実施例のガスタービン改造方法及び改造を施したガスタービンでは、改造時に、前記吸気ダクト部１０のサイレンサダクト１２の直下となる該サイレンサダクト１２とＬ字ダクト１３との間に縮流部２１を設けている。
【００４４】
改造前後の吸気ダクト部１０を鉛直方向から見た矢視図を図３Ａ及び図３Ｂに示す。図３Ｂに示したように、本実施例のガスタービン改造方法では、改造後の吸気ダクト部１０の縮流部２１を鉛直上部から見た形状は等脚台形となることを想定している。
【００４５】
なお、改造後の吸気ダクト部１０の縮流部２１の形状は、吸気の流れ方向の断面積が下流方向で大きくならないような形状であれば、等脚台形以外の他の形状であっても問題ない。ただし、コストの観点からはなるべく単純な形状の方が良いため、本実施例のガスタービン改造方法で想定している等脚台形形状が望ましい。
【００４６】
次に、本実施例のガスタービン改造方法におけるガスタービン設備１の具体的な動作について説明する。まず本実施例のガスタービン改造方法におけるガスタービンの吸込流量、圧力比、燃焼温度は、改造前ではそれぞれ、３００ｋｇ／ｓ、１５、１１００℃、改造後ではそれぞれ、２５０ｋｇ／ｓ、２０、１５００℃程度を想定しており、出力としては約８０ＭＷ〜１００ＭＷの範囲のガスタービンを想定している。
【００４７】
本実施例のガスタービン改造方法及び改造を施したガスタービンでは、改造後のガスタービン設備１において吸気室１１から吸気ダクト部１０に流入した作動流体の空気は、サイレンサダクト１２を約５ｍ／ｓで通過してサイレンサダクト１２の下流側の直後に設置された縮流部２１へ流入する。
【００４８】
縮流部２１へ流入した作動流体の流速は、作動流体が流下する流路の断面積が、サイレンサダクト１２の大きな流路断面積から縮流部２１の小さな流路断面積に減少することに伴って、約５ｍ／ｓから約６ｍ／ｓに増加し、前記縮流部２１の下流側に設置されたＬ字ダクト１３へ流入する。
【００４９】
この際のＬ字ダクト１３への作動流体の流入速度は、改造前のＬ字ダクト１３への作動流体の流入速度とほぼ同等になっている。
【００５０】
吸気ダクト部１０のＬ字ダクト１３に流入した作動流体は、Ｌ字ダクト１３を流下する過程で作動流体である空気の流れの方向を転向して、ガスタービン部２の吸気プレナム１４に流入する。
【００５１】
吸気プレナム１４を通過した作動流体は、約１５０ｍ／ｓの速度で軸流圧縮機３の入口へ流入し、この軸流圧縮機３によって圧縮された後にガスタービン燃焼器４に流入し、このガスタービン燃焼器４で作動流体の空気が該ガスタービン燃焼器４に噴射された燃料と混合して燃焼し、高温・高圧の燃焼ガスを発生させる。
【００５２】
ガスタービン燃焼器４で発生した高温・高圧の燃焼ガスは、軸流圧縮機３と軸６によって連結されているタービン５に流入してこのタービン５を駆動すると共に、前記タービン５の駆動によって該タービン５と軸６によって連結した前記軸流圧縮機３も駆動させる。
【００５３】
そしてタービン５を高温・高圧の燃焼ガスによって駆動する際に、このタービン５の駆動によって該タービン５と軸６によって接続された発電機８を駆動し、この発電機８で発電が行なう。
【００５４】
そしてタービン５を駆動した燃焼ガスは、該タービン５から排出されて圧力約０．１ＭＰａ、温度約５００℃となって排気室１５に流入し、この排気室１５から排気として大気に放出される。
【００５５】
本実施例のガスタービン改造方法及び改造を施したガスタービンでは、排気室１５の下流側にタービン５から排出した排ガスを熱源とした蒸気タービン系統を備えたコンバインドサイクルについては記載していないが、排気室１５の下流側にコンバインドサイクルを設置する場合には、前記コンバインドサイクルに排気室１５から排出した排ガスから熱量を回収して蒸気を発生する排熱回収ボイラ（図示せず）を設置して排ガスから熱量を回収し、前記排熱回収ボイラで発生させた蒸気で駆動する蒸気タービンを備えた蒸気タービン系統を設置すれば良い。
【００５６】
本実施例のガスタービン改造方法及び改造を施したガスタービンにおける条件下では、改造によって図３Ｂに示したように吸気ダクト部１０のサイレンサダクト１２の直下となる該サイレンサダクト１２とＬ字ダクト１３との間に、前記サイレンサダクト１２の流路断面積よりも小さな流路断面積を有する縮流部２１を配設しているが、この際、前記縮流部２１と縮流部２１の下流側のＬ字ダクト１３との接続部では、ガスタービンの改造前よりも内部を流れる空気の流れが剥離しやすくなる。
【００５７】
縮流部２１とＬ字ダクト１３との接続部では、前記接続部での空気の流れの剥離によって流路を流下する空気の主流に生じる流れの乱れが、Ｌ字ダクト１３だけでなくガスタービン部２の吸気プレナム１４入口まで及ぶ場合に、軸流圧縮機３の入口部での空気の流れ場に周方向偏差が発生する可能性が高い。
【００５８】
この軸流圧縮機３の入口部での空気の流れ場の周方向偏差の発生によって、軸流圧縮機３の前段翼、特に初段動翼で旋回失速等の非定常現象が発生しやすくなって圧縮機翼に振動が生じ、軸流圧縮機３の信頼性に対して悪影響を及ぼす可能性がある。
【００５９】
そこで上記した課題を抑制するため、本実施例のガスタービン改造方法では、吸気ダクト部１０の縮流部２１の設置箇所を図１及び図３Ｂにガスタービン改造後の吸気ダクト部１０の構造として示したように、吸気ダクト部１０の縮流部２１の設置箇所をサイレンサダクト１２の直下となるサイレンサダクト１２の下流側に設置した構成を採用している。
【００６０】
上記した構成のガスタービン改造方法及び改造を施したガスタービンを適用した場合、吸気ダクト部１０の縮流部２１とＬ字ダクト１３との接続部で空気の剥離による空気の主流の流れに乱れが生じたとしても、空気の流れは前記Ｌ字ダクト１３を通過する過程でほぼ整流されることから、前記Ｌ字ダクト１３を通じてガスタービン部２の吸気プレナム１４に流入する空気の流れに、この吸気プレナム１４の入口で発生する流れの乱れを抑制することが可能となる。
【００６１】
改造前後で改造前の構造を改造後でも流用する流用箇所の増加を狙って前記縮流部２１の設置箇所を吸気ダクト部１０のＬ字ダクト１３とガスタービン部２の吸気プレナム１４との間に設置することを考えた場合には、吸気プレナム１４の入口で前述の空気の流れの剥離が生じるので、軸流圧縮機３入口での空気の流れの乱れが大きくなり、軸流圧縮機３の信頼性の観点から好ましくない。
【００６２】
また、一般的にＬ字ダクト１３の上流部よりもＬ字ダクト１３の下流部の方が流れる空気の流速が高くなっているため、前記縮流部２１の設置箇所を、吸気ダクト部１０のＬ字ダクト１３とガスタービン部２の吸気プレナム１４との間に設置する場合には、
（前記縮流部２１をサイレンサダクト１２とＬ字ダクト１３との間に設置した場合に較べて）前述の縮流部２１とＬ字ダクト１３との接続部の空気の剥離による流れの乱れは、より大きくなることが予想される。
【００６３】
上記した本実施例におけるガスタービン改造方法及び改造を施したガスタービンによれば、改造前の吸気ダクト部１０に設置した既設の吸気室１１とサイレンサダクト１２を最大限流用すると共に、乱れが小さく信頼性の高いガスタービン設備１が提供できる。
【００６４】
また、上記した本実施例におけるガスタービン改造方法及び改造を施したガスタービンによれば、Ｌ字ダクト上流部に縮流部を設けることで、縮流部下流部にて発生する流れの乱れがＬ字ダクト通過時に整流され、乱れの小さい状態で吸気プレナムに流入するため、信頼性が向上する。
【００６５】
またサイレンサ下流部〜吸気プレナム入口間の流路断面積が流れ方向に対して一定もしくは減少を続けることで拡大部がなくなり、拡大部によって発生する損失や流れの乱れを低減することができる。
【００６６】
本実施例によれば、既存のガスタービン発電設備を既存のガスタービンよりも流量の小さいガスタービンに改造する場合に、既存のガスタービン発電設備を出来るだけ多く流用すると共に、吸気ダクト部に吸気した空気の流れの乱れを低減した信頼性の高いガスタービンを得ることを可能にしたガスタービン改造方法及び改造を施したガスタービンが実現できる。
【００６７】
次に本発明の第１実施例であるガスタービン改造方法及び改造を施したガスタービンの変形例について図４を用いて説明する。
【００６８】
本発明の第１実施例のガスタービン改造方法の変形例は図１、図３Ａ、及び図３Ｂに示した本発明の第１実施例のガスタービン改造方法と基本的な構成は同じであるので、両者に共通した構成の説明は省略し、相違した部分だけを以下に説明する。
【００６９】
本発明の第１実施例のガスタービン改造方法の変形例では、図４に示したように、Ｌ字ダクト１３の流路の曲がり部に面取り部１３ａを施す構成を採用している。
【００７０】
このガスタービン改造方法及び改造を施したガスタービンの変形例においては、吸気ダクト部１０のＬ字ダクト１３を空気が流れる際に、Ｌ字ダクト１３の流路の曲がり部に面取り部１３ａが施されているので、内部を流れる空気がＬ字ダクト１３の流路の曲がり部を通過する際に、この曲がり部に形成された面取り部１３ａによってＬ字ダクト１３の曲がり部通過時に発生する空気の剥離が抑制される。
【００７１】
よって、前記ガスタービン改造方法の変形例においては、さらなる信頼性の向上と損失低減が達成される。
【００７２】
前記Ｌ字ダクト１３の流路の曲がり部に形成された面取り部１３ａは、曲率を持つ形状に形成することが望ましいが、直線形状で形成しても曲がり部通過時に発生する流れの剥離による損失や流れの乱れを、ある程度低減させることは可能である。
【００７３】
本実施例の変形例であるガスタービン改造方法及び改造を施したガスタービンによれば、さらにＬ字ダクト部の前記曲がり部に面取りを施すことで、曲がり部通過時に発生する流れの剥離による損失や流れの乱れを低減することも可能となる。
【実施例２】
【００７４】
次に本発明の第２実施例であるガスタービン改造方法及び改造を施したガスタービンについて図５Ａ、図５Ｂ、図５Ｃを用いて説明する。
【００７５】
本発明の第２実施例のガスタービン改造方法及び改造を施したガスタービンは、図１、図３Ａ、及び図３Ｂに示した本発明の第１実施例のガスタービン改造方法及び改造を施したガスタービンと基本的な構成は同じであるので、両者に共通した構成の説明は省略し、相違した部分だけを以下に説明する。
【００７６】
図５Ａ、図５Ｂ、図５Ｃに本実施例のガスタービン改造方法における改造前後の吸気ダクト部１０を鉛直方向から見た矢視図を示す。図５Ａはガスタービン改造前の吸気ダクト部１０の構成を示しており、図２に示した第１実施例のガスタービン改造方法及び改造を施したガスタービンにおける改造前の吸気ダクト部１０と同じ構成となっている。
【００７７】
本実施例のガスタービン改造方法及び改造を施したガスタービンにおいては、図５Ｂ、図５Ｃに示したように、ガスタービン改造時に、吸気ダクト部１０のサイレンサダクト１２とＬ字ダクト１３との間に、サイレンサダクト１２の流路断面積よりも小さな流路断面積を有する縮流部２１を設置しているが、この縮流部２１の入口近傍には吸気に微細液滴を噴霧する吸気噴霧冷却装置２２が設けられている。
【００７８】
ここで、簡単に吸気噴霧冷却について説明する。吸気噴霧冷却は吸気冷却の一種で、ガスタービン吸気部に微細液滴を噴霧して液滴の蒸発によって吸気を冷却する技術である。
【００７９】
ガスタービンは吸気温度が高くなるとガスタービンの出力が低下するという特性を持つので、吸気温度の高い夏場の出力向上策として用いられることがある。一般に噴霧流量が多いほど出力向上量は多くなる。
【００８０】
本実施例のガスタービン改造方法及び改造を施したガスタービンでは、吸気噴霧冷却装置２２として、図５ＢのＡ−Ａ断面である図５Ｃに示すような、円筒状の複数のノズルヘッダ２３を配置した構成を想定している。これらの各ノズルヘッダ２３には複数の噴霧ノズル２４が設けられており、これらの噴霧ノズル２４より微細化された水滴が吸気に噴霧され、水滴の蒸発によって吸気の主流空気を冷却してガスタービンの出力の向上を図っている。
【００８１】
なお、本実施例のガスタービン改造方法及び改造を施したガスタービンでは、前記吸気噴霧冷却装置２２を構成する噴霧ノズル２４として高圧水を噴霧する１流体ノズルを想定しているが、高圧・高温の空気と水を混合して噴霧する２流体ノズルを用いても良い。
【００８２】
また、図５Ｂには図示していないが、１流体ノズル、或いは２流体ノズルのどちらのタイプのノズルを噴霧ノズル２４に用いる場合でも、ノズルヘッダ２３に対して外部よりポンプ等で水を供給する必要がある。
【００８３】
次に、本実施例のガスタービン改造方法及び改造を施したガスタービンで設置した吸気噴霧冷却装置２２を構成する噴霧ノズル２４を備えた噴霧ノズルヘッダ２３の設置位置は、前記縮流部２１の上流側となる縮流部２１の入口近傍となっている。この理由は下記の通りである。
【００８４】
理由の１点目は、噴霧ノズルヘッダ２３を縮流部２１の上流側に設置することで前記吸気噴霧冷却装置２２から吸気に対して液滴を噴霧した後の液滴の蒸発時間を稼ぎ、より吸気噴霧冷却の効果を向上させるためである。
【００８５】
理由の２点目は、縮流部２１の入口の方が出口側より設置するノズルヘッダ２３の数を増やすことができるため、吸気に対して噴霧する液滴の噴霧量を増加させることができる点である。
【００８６】
理由の３点目は、縮流部２１出口側よりも相対的に流路断面積の大きい縮流部２１入口近傍にノズルヘッダ２３を配置することで、ノズルヘッダ２３を吸気が通過時に発生する流速増加および損失を抑制するためである。
【００８７】
特に３点目によって縮流部２１入口近傍に吸気噴霧装置２２を設置した場合でも、ガスタービン部２の吸気プレナム１４入口での空気の流れの乱れを抑制することができるため、第１実施例のガスタービン改造方法と同様に信頼性の高いガスタービンを提供することが可能となる。
【００８８】
また本実施例のガスタービン改造方法及び改造を施したガスタービンにおける吸気噴霧冷却装置２２の噴霧ノズル２４から吸気に対して噴霧する液滴の噴霧方向は、図５Ｂに示したように、吸気ダクト部１０の縮流部２１を鉛直上部から見て、空気の主流に垂直方向の縮流部壁面に近づくにつれて流れの下流方向内向きになるようにする。
【００８９】
一般に噴霧ノズル２４から噴霧される液滴は、ある一定の噴霧角を持った円錐状の噴霧形状となるため、このような噴霧方向とすることで特に縮流部２１の壁面近傍で噴霧された液滴が噴霧直後に縮流部２１の壁面に付着してドレンとなるのを抑制することが可能となる。
【００９０】
噴霧された液滴がドレンとなるドレン量の低減は、液滴噴霧後のガスタービンの出力が液滴噴霧前のガスタービンの出力と同一出力を得るための噴霧水量の削減につながるだけでなく、縮流部２１の壁面に付着した液滴が空気の流れの主流によって分裂して粗大液滴となり、吸気ダクト部１０の下流側に位置するガスタービン部２の軸流圧縮機３に流入してエロージョンを引き起こす可能性の抑制にもつながる。
【００９１】
上記した本実施例におけるガスタービン改造方法及び改造を施したガスタービンを用いることで、吸気噴霧冷却装置２２を備えた場合でも、ガスタービン部２の吸気プレナム１４入口での空気流の乱れが小さく信頼性の高いガスタービンを提供できる。
【００９２】
さらに吸気噴霧冷却装置２２から吸気に対して液滴を噴霧する吸気噴霧時については、流量の増加、蒸発時間の確保、およびドレン量の抑制を両立した吸気ダクト部１０の構造を提供可能である。
【００９３】
なお、本実施例のガスタービン改造方法及び改造を施したガスタービンにおける吸気ダクト部１０の縮流部２１と、吸気噴霧冷却装置２２の構成については、ガスタービン改造方法としてだけでなく、新設するガスタービンに設置する吸気ダクト部１０の縮流部２１の構造、及び吸気噴霧冷却装置２２の構造としても適用可能である。
【００９４】
上記した本実施例におけるガスタービン改造方法及び改造を施したガスタービンによれば、圧縮機出口〜燃焼器入口間に湿分もしくは蒸気を添加する手段を設けることで、タービン側の流量を増加させることが可能になる。これにより、コンバインドサイクルとして利用しているガスタービン発電設備の改造時に上記の吸気ダクト部を適用した場合でも、タービン出口の流量を維持できるので、下流側の蒸気タービン系統の作動条件の変化がなく、蒸気タービン系統での性能低下を抑制することが可能となる。
【００９５】
また上記した本実施例におけるガスタービン改造方法及び改造を施したガスタービンによれば、前記縮流部入口近傍に噴霧冷却装置を持つため、縮流部を持たないガスタービンに対して噴霧流量を増加させることができ、噴霧による性能向上量が増加する。
【００９６】
また、鉛直上部から見た前記噴霧冷却装置の噴霧方向を、鉛直上部から見て主流に垂直方向の縮流部壁面に近づくにつれて流れの下流方向内向きとすることで、吸気噴霧冷却に必要な蒸発時間の確保と噴霧液滴の衝突によるドレン化の低減を達成することができる。
【００９７】
また、吸気噴霧装置を流路断面積の大きい縮流部入口近傍に設置することで、吸気噴霧装置設置によって生じる流れの乱れを最小限に抑制することが可能になる。
【００９８】
本実施例によれば、既存のガスタービン発電設備を既存のガスタービンよりも流量の小さいガスタービンに改造する場合に、既存のガスタービン発電設備を出来るだけ多く流用すると共に、吸気ダクト部に吸気した空気の流れの乱れを低減した信頼性の高いガスタービンを得ることを可能にしたガスタービン改造方法及び改造を施したガスタービンが実現できる。
【実施例３】
【００９９】
次に本発明の第３実施例であるガスタービン改造方法及び改造を施したガスタービンについて図６、図６Ａ，図６Ｂを用いて説明する。
【０１００】
本発明の第３実施例のガスタービン改造方法及び改造を施したガスタービンは、図１、図３Ａ、及び図３Ｂに示した本発明の第１実施例のガスタービン改造方法及び改造を施したガスタービンと基本的な構成は同じであるので、両者に共通した構成の説明は省略し、相違した部分だけを以下に説明する。
【０１０１】
図６は本実施例のガスタービン改造方法及び改造を施したガスタービンを実施した改造後のガスタービンの機器配置の概略図を、図７Ａはガスタービン改造前の軸流圧縮機３の初段近傍の子午面断面の概略図を、図７Ｂは本実施例におけるガスタービン改造後の軸流圧縮機３の初段近傍の子午面断面の概略図をそれぞれ示す。
【０１０２】
図６及び図７Ｂに示した本実施例のガスタービン改造方法及び改造を施したガスタービンでは、図６に示したように、軸流圧縮機３とガスタービン燃焼器４との間に前記軸流圧縮機３で圧縮された空気を加湿する加湿装置４１が取り付けられている。
【０１０３】
更に、本実施例のガスタービン改造方法及び改造を施したガスタービンでは、図７Ｂに示したように、軸流圧縮機３の初段動翼３２の構造が、翼断面の重心を結んだ線（スタッキングライン）が半径方向外方に向かって直線状から翼前縁側にカーブした三次元翼となるように形成されている。
【０１０４】
即ち、ガスタービンの改造前では図７Ａに示したように、軸流圧縮機３の初段動翼３２の構造は、翼断面の重心を結んだ線（スタッキングライン）が半径方向に直線状の形状であったが、本実施例のガスタービン改造方法を実施したガスタービンの改造後では、図７Ｂに示したように、ガスタービンの改造後の軸流圧縮機３の初段動翼３２の構造が、翼断面のスタッキングラインが翼長下半部では半径方向に直線状の形状から、翼長上半部では半径方向外方に向かって直線状から翼前縁側に湾曲した形状の三次元翼となるように形成されている。
【０１０５】
そして、ガスタービンの改造前後において、軸流圧縮機３の初段近傍の構成要素は同一であり、入口案内翼３１、入口案内翼３１の下流側の初段動翼３２、初段動翼３２の下流側の初段静翼３３、前記初段動翼３２を設けたロータ３４、および前記入口案内翼３１と初段静翼３３を設けたケーシング３５によって構成されている。
【０１０６】
本実施例のガスタービン改造方法及び改造を施したガスタービンを実施した改造後におけるガスタービンの軸流圧縮機３では、改造後の軸流圧縮機３の初段動翼３２の形状として、翼断面の重心を結んだ線（スタッキングライン）が半径方向に直線となった形状であったのが、ガスタービンの改造後の軸流圧縮機３の初段動翼３２では、図７Ｂに示したように、翼断面のスタッキングラインが翼長下半部では半径方向に直線状の形状であったものが、翼長上半部では半径方向に直線状の形状から翼前縁側に湾曲した形状となる三次元翼となるように形成されている。
【０１０７】
一般に三次元翼を適切に設計すると、翼断面のスタッキングラインが直線の翼に比べて作動範囲を広くすることができる。つまり、軸流圧縮機３の初段動翼の設計流入角から失速状態になるまでの裕度を、改造前に比べて改造後のガスタービンでは大きくすることが可能となる。
【０１０８】
なお、本実施例のガスタービン改造方法及び改造を施したガスタービンを実施した改造後におけるガスタービンの軸流圧縮機３の初段動翼３２に適用した三次元翼の形状として、図７Ｂに示したように、翼断面のスタッキングラインが翼長下半部では上流側に湾曲した三次元翼の形状である前方スイープ翼形状を想定しているが、前述の裕度が向上する初段動翼形状であれば、スタッキングラインの形状はどのような形状でも良い。
【０１０９】
次に、図７Ｂに示したように、本実施例のガスタービン改造方法及び改造を施したガスタービンを実施した改造後におけるガスタービンの軸流圧縮機３の初段動翼３２に、翼断面のスタッキングラインが翼前縁側に湾曲した形状となる三次元翼を採用した場合におけるガスタービン部２の吸気プレナム１４の入口から軸流圧縮機３の初段静翼３３までの流れについて説明する。
【０１１０】
吸気ダクト部１０を通過してガスタービン部２の吸気プレナム１４入口に到達した空気の流れは、図６及び図７Ｂに示したように、軸流圧縮機３の最上流の翼である入口案内翼３１へと流入する。
【０１１１】
吸気プレナム１４では空気の流れとして鉛直下向きの流れが、軸方向の流れとなるように転向するが、吸気プレナム１４の形状の制約により軸流圧縮機３の周方向及び径方向に偏差が生じるのは避けられない。
【０１１２】
つまり、吸気プレナム１４から軸流圧縮機３の入口案内翼３１に流入する空気の流れの流入条件は完全に一様ではなく、周方向及び径方向に偏差を持っている。
【０１１３】
この周方向及び径方向の空気の流れの偏差によって、入口案内翼３１の下流部に存在する初段動翼３２への空気の流れの流入条件も周方向及び径方向に偏差を持つことになる。
【０１１４】
一般に、入口案内翼３１や初段静翼３２は可変機構によって前記入口案内翼３１や初段静翼３２の取付角を変化できる場合が多く、仮に空気の流れの流入条件が変化した場合には、前記取付角を変更すればよいが、ロータ３４に設けられた初段動翼３２にはそのような可変機構を用いることはできない。
【０１１５】
このため、吸気プレナム１４での空気の流れの転向によって軸流圧縮機３の入口案内翼３１に流入する空気の流れに周方向及び径方向に偏差が発生すると、設計時に比べて失速の裕度が小さくなり、流れの剥離による非定常現象等、ガスタービンの信頼性に影響を与える可能性のある現象が起こりやすくなることが予想される。
【０１１６】
そこで、本実施例のガスタービン改造方法及び改造を施したガスタービンにおいては、軸流圧縮機３の初段動翼３２を、図７Ｂに示したように、翼断面のスタッキングラインが半径方向外方に向かって直線状から翼前縁側に湾曲した形状となる三次元翼を採用して失速裕度の高い翼に置き換えることで、軸流圧縮機３の入口案内翼３１に流入する空気の流れの乱れに対する軸流圧縮機３の信頼性への影響を低減できるため、さらに信頼性が向上したガスタービンを実現することが可能になる。
【０１１７】
また、図６中に示すように、軸流圧縮機３とガスタービン燃焼器４の間に軸流圧縮機３で圧縮した吸気を加湿する加湿装置４１を設けることで、吸込空気の流量を変えずにタービン側の流量のみを増加させることが可能となる。
【０１１８】
これによって、改造後のガスタービンにおけるタービン５の出口部で流量とガス温度の両方が、改造前のガスタービンにおけるタービン５の出口部で流量とガス温度とほぼ一致させることが可能になる。
【０１１９】
特に改造するガスタービンにおけるガスタービン部２の下流側に蒸気タービン系統を有するガスタービン発電設備１を備えている場合に、上記した本実施例のガスタービン改造方法及び改造を施したガスタービンを用いることで、ガスタービン部２の性能向上を達成すると共に、蒸気タービン系統の蒸気流量の減少による蒸気タービン系の性能低下も抑制可能となる。
【０１２０】
なお、加湿装置４１の具体的な加湿方法として、本実施例のガスタービン改造方法及び改造を施したガスタービンでは、軸流圧縮機３で圧縮した空気に蒸気を注入する蒸気噴射を想定しているが、軸流圧縮機３の出口空気を抽気して液滴噴霧や多孔質材からなる増湿塔を用いてこの抽気した軸流圧縮機３の出口空気を加湿する構成の加湿方法を用いても良い。
【０１２１】
上記した本実施例におけるガスタービン改造方法及び改造を施したガスタービンを用いることで、軸流圧縮機３の信頼性がさらに向上し、更に、ガスタービン部２の下流側に蒸気タービン系統を有するガスタービン発電設備１を備えた場合でも改造による蒸気タービン系の性能低下を抑制することが可能となる。
【０１２２】
なお、本実施例のガスタービン改造方法及び改造を施したガスタービンにおいては、軸流圧縮機３の初段動翼３２の改造と、加湿装置４１の設置は、それぞれ独立に行っても良い。その場合、軸流圧縮機３の初段動翼３２の改造によってさらなる信頼性が向上し、加湿装置４１の設置によってガスタービン部２の下流側に設置した蒸気タービン系統を有するガスタービン発電設備１の蒸気タービンの性能の低下を抑制することが可能となる。
【０１２３】
上記した本実施例におけるガスタービン改造方法及び改造を施したガスタービンによれば、圧縮機初段動翼の設計流入角から失速状態になるまでの裕度を改造前より増加させることで、さらに圧縮機の信頼性を向上させることが可能となる。
【０１２４】
本実施例によれば、既存のガスタービン発電設備を既存のガスタービンよりも流量の小さいガスタービンに改造する場合に、既存のガスタービン発電設備を出来るだけ多く流用すると共に、吸気ダクト部に吸気した空気の流れの乱れを低減した信頼性の高いガスタービンを得ることを可能にしたガスタービン改造方法及び改造を施したガスタービンが実現できる。
【符号の説明】
【０１２５】
１：ガスタービン発電設備、２：ガスタービン部、３：圧縮機、４：ガスタービン燃焼器、５：タービン、６：軸、７：タービンベース、８：発電機、１０：吸気ダクト部、１１：吸気室、１２：サイレンサダクト、１３：Ｌ字ダクト、１４：吸気プレナム、１５：排気室、２１：縮流部、２２：吸気噴霧装置、２３：ノズルヘッダ、２４：噴霧ノズル、３１：入口案内翼、３２：初段動翼、３３：初段静翼、３４：ロータ、３５：ケーシング、４１：加湿装置。
【図１】
0005917243.tif 000002
【図２】
0005917243.tif 000003
【図３Ａ】
0005917243.tif 000004
【図３Ｂ】
0005917243.tif 000005
【図４】
0005917243.tif 000006
【図５Ａ】
0005917243.tif 000007
【図５Ｂ】
0005917243.tif 000008
【図５Ｃ】
0005917243.tif 000009
【図６】
0005917243.tif 000010
【図７Ａ】
0005917243.tif 000011
【図７Ｂ】
0005917243.tif 000012